(57)【特許請求の範囲】
【請求項１】
内部の透視が可能な、水又は水を主成分とする液体を収容する容器本体と、
前記容器本体の下部上層に構成した、下部下層の薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体であって、該吐出口部から取り外すのに先立って容器本体内を減圧することが可能に構成した蓋体と、
で構成した携帯用の水素水生成用ポット。
【請求項２】
内部の透視が可能な、水又は水を主成分とする液体を収容する容器本体と、
前記容器本体の下部上層に構成した、該容器本体の内部の前記水又は水を主成分とする液体の一定量を下部下層の薬槽中に供給するための定量給水手段、及び該薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体であって、前記容器本体の内部を一定圧を越えないように保持する減圧弁を備え、かつ該吐出口部から取り外すのに先立って容器本体内を更に減圧することが可能に構成した蓋体と、
で構成した携帯用の水素水生成用ポット。
【請求項３】
前記定量給水手段を、
前記容器本体の下部上層に構成した該容器本体の内部と下部下層の薬槽の内部とを連通する給水路と、
前記給水路の途中に配した球体であって、常態で前記容器本体の内部側に開口し、必要時に、これを回転させることで前記薬槽の内部側に開口させることができるように形成した、一定量の水又は水を主成分とする液体を定量収容することができる定量切欠部を形成した球体と、
前記球体を回転操作するための操作手段と、
で構成した請求項２の携帯用の水素水生成用ポット。
【請求項４】
前記薬槽を、前記容器本体の下部上層に着脱自在に螺合する下部下層である下蓋の内面に構成した請求項１、２又は３の携帯用の水素水生成用ポット。
【発明の詳細な説明】
【技術分野】
【０００１】
本発明は、自由に、かつ簡便に、いつでもどこでも、飲料水、コーヒー、紅茶又は緑茶等の水を主成分とする種々の液体に水素を含有させた水素水を生成し、飲用することができる携帯用の水素水生成用ポットに関する。
【背景技術】
【０００２】
携帯可能な飲料用水素水の生成器としては、筒型容器の下部に二つの電極を配し、該筒型容器中に収容した水を電気分解して水素を生成し、これを該筒状容器中の水に溶解させて水素水を生成するそれが市販されている。この市販の飲料用水素水の生成器は、充電式であり、該筒状容器中に収容できる１回あたり０．３Ｌの水を用いて、一度の充電で、６回程度、水素水を生成することができるとされている。生成に要する時間は概ね１０分である。【０００３】
この市販の飲料用水素水の生成器は、携帯が可能であることは認められるが、水素水の生成のために要する時間が１０分と若干長いこと、また得られる水素水の水素の溶存濃度は５５０ｐｐｂ（約２倍の１．１６ｐｐｍであると説明する広告記事もある）であるとされ、十分に高いとは言えないこと、また原水を電気分解して水素分子を生成させる構成であるから、当然、原水は電極と接触するものであり、原水としては、ミネラル水又は水道水等に限定され、コーヒーや茶等を利用するのは不適当であること等の問題点がある。【０００４】
特許文献１は、ポット型飲料用水素水の生成器に関し、
これは、原水を貯留する生成水用ポット部と、該生成水用ポット部をその上に載せて電気分解用の電力を供給する台座部とからなり、
前記生成水用ポット部は、縦長の水槽室を設けると共に、その底部に容積の小さな反応室を配し、該水槽室と該反応室との間には連通口を形成し、該反応室には該水槽室に臨んで水平状態に維持した高分子膜を配すると共に、該高分子膜の上下を有孔の金属板又は金属網体で形成した電極板で挟み、かつ該電極板と上下に配した電極端子との間に電導性のスプリングを介設し、該上下に配した電極端子を前記台座部の輪状電極コネクタ及び点状電極コネクタに対峙状態に配設してなり、
他方、前記台座部には、前記輪状電極コネクタと前記点状電極コネクタとを設けてなるものである。【０００５】
従ってこの特許文献１のポット型飲料用水素水の生成器によれば、必要なときに、その生成水用ポット部の水槽室に原水となる水道水等を導入した上で、この生成水用ポット部を前記台座部に載置して電源を投入すれば、前記反応室には、原水が連通口を通じて流入しているので、ここで水の電解作用が行われ、水素ガスが発生することになる。水素ガスは、縦長に構成した水槽室を時間を掛けて上昇するので、良好に水に溶解し、濃度の高い水素水を生成することができるとされている。【０００６】
この特許文献１のポット型飲料用水素水の生成器は、その実施例の説明によれば、水素水を生成させるためには１０分〜１５分程度の時間が必要であり、得られる水素水の溶存水素濃度は通電時間が１０分の場合で４９０ｐｐｂ、１５分の場合で５１５ｐｐｂであるとされ、前記市販の飲料用水素水の生成器で得られる水素水のそれより若干低い程度であると認められる。【０００７】
またこの特許文献１のポット型飲料用水素水の生成器は、その構成上、携帯には不適であり、前記のように、水素水の生成時間も１０分〜１５分と若干長く、得られる水素水の溶存水素濃度も、以上のように、前記市販の飲料用水素水の生成器で得られる水素水のそれより僅かながら低く、高いとは言えない。更にこの特許文献１のポット型飲料用水素水の生成器も、前記市販の飲料用水素水の生成器と同様に、原水を電気分解して水素分子を生成させる構成であるから、当然、原水は電極と接触する構成であり、原水としてはミネラル水又は水道水等に限定され、コーヒーや茶等を利用するのは不適当である。
【先行技術文献】
【特許文献】
【０００８】
【特許文献１】日本国特開２０１２−２１７８６８号公報
【発明の概要】
【発明が解決しようとする課題】
【０００９】
本発明は、前記従来技術の問題点を解決し、ミネラル水や水道水等の飲料水に限らず、コーヒー、各種ジュース類又は茶類等の水又は水を主成分とする液体を原水として、高濃度の飲料用水素水を、いつでも、かつどこでも、短時間で生成することができる携帯用の水素水生成用ポットを提供することを解決の課題とする。
【課題を解決するための手段】
【００１０】
本発明の１は、内部の透視が可能な、水又は水を主成分とする液体を収容する容器本体と、
前記容器本体の下部上層に構成した、下部下層の薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体であって、該吐出口部から取り外すのに先立って容器本体内を減圧することが可能に構成した蓋体と、
で構成した携帯用の水素水生成用ポットである。【００１１】
本発明の２は、内部の透視が可能な、水又は水を主成分とする液体を収容する容器本体と、
前記容器本体の下部上層に構成した、該容器本体の内部の前記水又は水を主成分とする液体の一定量を下部下層の薬槽中に供給するための定量給水手段、及び該薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体であって、前記容器本体の内部を一定圧を越えないように保持する減圧弁を備え、かつ該吐出口部から取り外すのに先立って容器本体内を更に減圧することが可能に構成した蓋体と、
で構成した携帯用の水素水生成用ポットである。【００１２】
本発明の３は、本発明の２の携帯用の水素水生成用ポットにおいて、
前記定量給水手段を、
前記容器本体の下部上層に構成した該容器本体の内部と下部下層の薬槽の内部とを連通する給水路と、
前記給水路の途中に配した球体であって、常態で前記容器本体の内部側に開口し、必要時に、これを回転させることで前記薬槽の内部側に開口させることができるように形成した、一定量の水又は水を主成分とする液体を定量収容することができる定量切欠部を形成した球体と、
前記球体を回転操作するための操作手段と、
で構成したものである。【００１３】
本発明の４は、本発明の１、２又は３の携帯用の水素水生成用ポットにおいて、
前記薬槽を、前記容器本体の下部上層に着脱自在に螺合する下部下層である下蓋の内面に構成したものである。
【発明の効果】
【００１４】
本発明の１の携帯用の水素水生成用ポットによれば、まず前記薬槽中に水素発生剤を充填し、かつ前記容器本体中に水又は水を主成分とする液体を注入した上で、該容器本体中の水又は水を主成分とする液体を若干取り出し、または別に若干の水又は水を主成分とする液体を用意しておき、それらのいずれかを、前記薬槽中に注入すれば、該薬槽中の水素発生剤と該水等における水とが急速に反応し水素ガスを発生することになる。【００１５】
前記水等の容器本体への注入は、言うまでもなく、前記蓋体を取り外して前記吐出口部を開いてここから行う。前記水素発生剤の前記薬槽への装入は該薬槽の構成に従った手順で行う。【００１６】
前記容器本体中の水又は水を主成分とする液体の薬槽中への注入は、より詳細には、前記蓋体を前記吐出口部から取り外して、該吐出口部から容器本体内の水等を取り出し、これを前記薬槽中に注入することで行う。容器本体からの水等の取り出しは、種々の手段・方法を自由に採用可能であるが、スポイト等を利用するのがほぼ一定量を簡便に取り出し可能であり、これで取り出した水等を薬槽中に注入するのも簡単である利点がある。【００１７】
また前記別に用意しておいた若干の水又は水を主成分とする液体の薬槽中への注入は、より詳細には、例えば、前記薬槽中に装入する水素発生剤と組にして小容器に充填した水又は水を主成分とする液体を用意しておき、水素発生剤を装入した薬槽に該小容器に充填しておいた水等を注入することで行う。勿論、この場合にもこれ以外の種々の手段・方法を採用可能であるが、水素発生剤と組にして水等を充填した小容器を用意しておくこの手段を採用するのが簡便で、確実である利点がある。【００１８】
前記薬槽中で前記水素発生剤と水等が反応して発生した水素ガスは、該薬槽内及び前記ガス通路内の逆止め弁より下方側の空間に充満することになるが、その空間内のガス圧が一定圧を越えるに至ると、該逆止め弁を通じてその上方のガス通路側に移動し、該ガス通路が繋がる前記容器本体中の前記水等の中をこれに徐々に溶解しながらその残余の部分が浮上して行くことになる。【００１９】
前記水素発生剤の性質にもよるが、通常、水の電気分解によるより短時間で水と反応して多量の水素ガスを発生させることが可能であり、例えば、３分程度の時間の経過で十分な量の水素ガスを発生させることができる。こうして発生させた水素ガスは、前記したように、前記逆止め弁及び前記ガス通路を介して前記容器本体中に移動し、その中の水等に溶解しながら、溶解しなかった残余の水素ガスがその中を浮上し、該容器本体中の水等の上面上の空間に移動することになる。この空間の水素ガスの圧力は、徐々に上昇することになるが、通常、２気圧までは上昇しない。容器本体は１０気圧程度の耐圧に構成するものであり、該容器本体がガス圧により破裂してしまうようなおそれはない。【００２０】
前記のように、スポイト等による又は小容器からの水の注入時点から十分に水素ガスが発生したと判断できる時間の経過後、例えば、３分程度の時間の経過後に、前記容器本体を、更に、例えば、２０〜３０秒間程度振って内部の水等と水素ガスとを撹拌し、該水素ガスの水等への溶解を促進させるのが適当である。これによって該容器本体内の水等は十分に高い濃度に水素が溶解した水素水となる。その後は、前記吐出口部を閉じている前記蓋体を取り外して該吐出口部を解放すれば、その内部の水素水は、該吐出口部から直接に又はグラス類に注いだ上で飲用することができることになる。【００２１】
なお、前記蓋体は、その有する機能により、前記容器本体の上部に残存する若干ガス圧の高い水素ガスを逃がした上で、前記吐出口部から取り外すこととする。このように、該蓋体の該吐出口部からの取り外しに先立って該容器本体内の気圧を低下させることで、水に溶解している水素が小さな多数の泡となって吹き上がるのを許容することができる。このような白い多数の泡の噴出上昇の様子は該容器本体を透明に構成してあるため外部から観察することができる。【００２２】
また、以上のように、該容器本体は内部の透視が可能な透明素材で作成したものであるため、以上の場合に加えて、前記水素発生剤と水との反応によって発生した水素ガスが泡となって該容器本体中の水等の中を浮上する様子も、当然、観察可能である。【００２３】
更にまた、本発明の１の携帯用の水素水生成用ポットによれば、容器本体内に電極を配して電気分解によって水素を発生させるようなものではないので、ミネラル水や水道水以外にコーヒーや茶類又はジュース類等をも水素水生成用の原水として採用することが可能である。なお、容器本体内の原水を薬槽中に注入して水素発生用の水として用いる場合は、水素発生剤の性質との関係で、不適な成分もあり、それらを含む水を主成分とする液体は当然原水として使用不可となる。そうでなく別に用意した水等を薬槽中に注入して水素発生用の水として用いる場合は、水を主成分とする飲料である限り、どのような液体でも自由に原水として採用可能である。【００２４】
本発明の２の携帯用の水素水生成用ポットによれば、本発明の１の携帯用の水素水生成用ポットと同様に、前記薬槽中に水素発生剤を充填し、かつ前記容器本体中に水又は水を主成分とする液体を注入した上で、特有の構成である前記定量給水手段を操作し、該薬槽中に該容器本体中の前記水等の一定量を供給すると、該薬槽中の前記水素発生剤と該水等における水とが急速に反応し、水素ガスを発生することになる。【００２５】
前記水等は、本発明の１の携帯用の水素水生成用ポットと同様に、前記蓋体を取り外して前記吐出口部から注入する。前記水素発生剤は、前記下部下層の薬槽にその構成に従った手順で装入する。前記定量給水手段による水等の給水操作は、当然ながら、該蓋体を該吐出口部に外装固定した後に行う。【００２６】
前記薬槽中で前記水素発生剤と水等が反応して発生した水素ガスは、本発明の１の携帯用の水素水生成用ポットと同様の過程を経て、該薬槽内から前記逆止め弁及びガス通路を通じてその上方の前記容器本体中に移動し、その中の前記水等の中をこれに徐々に溶解しながら残余の部分が浮上して行くことになる。【００２７】
本発明の１の携帯用の水素水生成用ポットに関して説明したように、前記水素発生剤の性質にもよるが、通常、水の電気分解によるより短時間で、例えば、３分程度の時間の経過で十分な量の水素ガスを発生させることができる。こうして発生させた水素ガスは、前記したように、前記逆止め弁等を介して前記容器本体中に移動し、その中の水等に溶解しながら、溶解しなかった残余の水素ガスがその中を浮上し、該容器本体中の水等の上面上の空間に移動することになる。この空間の水素ガスの圧力は、徐々に上昇することになるが、その上部の吐出口部を閉じる前記蓋体には、一定圧を越える水素ガスを放出し、その空間を該一定圧以下に保持する減圧弁が配してあるので、該容器本体内は、該一定圧以下に保持される。【００２８】
前記のように、前記定量給水手段の給水操作時点から十分に水素ガスが発生したと判断できる時間の経過後、例えば、３分程度の時間の経過後に、前記容器本体を、更に、例えば、２０〜３０秒間程度振って内部の水等と水素ガスとを撹拌し、該水素ガスの水等への溶解を促進させるのが適当である。これによって該容器本体内の水等は十分に高い濃度に水素が溶解した水素水となる。その後は、前記吐出口部を閉じている前記蓋体を取り外して該吐出口部を解放することで、該水素水は、該吐出口部から直接に又はグラス類に注いだ上で飲用することができる。【００２９】
本発明の２の携帯用の水素水生成用ポットのその他の作用及び効果は、本発明の１の水素水生成用ポットのそれと同様である。【００３０】
本発明の３の携帯用の水素水生成用ポットによれば、前記薬槽中に、簡単な操作で、前記容器本体中の水等の適量を確実に注入することができる。【００３１】
本発明の４の携帯用の水素水生成用ポットによれば、前記薬槽を、前記容器本体の下部上層に着脱自在に螺合する前記下蓋の内面に構成したものであるため、前記水素発生剤の該薬槽内への装入を極めて簡単な操作で行い得るものである。
【図面の簡単な説明】
【００３２】
【図１】実施例１の携帯用の水素水生成用ポットの縦断面図。
【図２】実施例１の携帯用の水素水生成用ポットの分解縦断面図。
【図３】実施例１の携帯用の水素水生成用ポットの右側面図。
【図４】実施例１の携帯用の水素水生成用ポットの下蓋の平面図。
【図５】実施例１の携帯用の水素水生成用ポットの下部上層ブロックの平面図。
【図６】実施例２の携帯用の水素水生成用ポットの縦断面図。
【図７】実施例２の携帯用の水素水生成用ポットの分解縦断面図。
【図８】実施例２の携帯用の水素水生成用ポットの正面図。
【図９】実施例２の携帯用の水素水生成用ポットの下部上層ブロックの平面図。
【図１０】実施例２の携帯用の水素水生成用ポットの下蓋の平面図。
【発明を実施するための形態】
【００３３】
本発明を実施するための形態を、二つの実施例に基づいて、図面を参照しながら詳細に説明する。実施例１の携帯用の水素水生成用ポットは、本発明の２を適用した例であり、実施例２の携帯用の水素水生成用ポットは、本発明の１を適用した例である。
【００３４】
＜実施例１＞
この実施例１の携帯用の水素水生成用ポットは、図１〜図３に示すように、基本的に、容器本体１と、該容器本体１の下部上層に構成した定量給水手段２と、同じく該容器本体１の下部上層に構成した、逆止め弁３を備えたガス通路４と、該容器本体１の下部下層に構成した水素発生剤５を収納する薬槽６と、該容器本体１の上部に構成した吐出口部７と、該吐出口部７に着脱自在に外装する減圧弁８を備えた蓋体９とで構成したものである。
【００３５】
前記容器本体１は、図１〜図３に示すように、透明なプラスチックで作成した円筒状部材１ａと、その底部である下部上層を構成する下部上層ブロック１ｂと、下部下層ブロックである、前記薬槽６を構成した下蓋１ｃと、上部の吐出口ブロックからなる前記吐出口部７とで構成したものである。
【００３６】
前記下部上層ブロック１ｂは、図１及び図２に示すように、基本的に、前記円筒状部材１ａと同外径の短円柱状の部材であり、その上部外周を切り欠いて、該円筒状部材１ａの内径とほぼ一致する外径の連結小径部１ｂ１を構成してある。同図に示すように、前記円筒状部材１ａの下部を該連結小径部１ｂ１に外装し、前記容器本体１の底部の下部上層を構成する。該円筒状部材１ａの下部と該連結小径部１ｂ１との嵌合結合部は接着剤で固定する。また該下部上層ブロック１ｂの下部もその外周部を切り欠いて小径部を形成し、その外周にねじを切って、前記下蓋１ｃの連結雌ねじ部１ｃ１と螺合する連結雄ねじ部１ｂ２を形成しておく。該下部上層ブロック１ｂの下面にはフィルタ抑え１０をその中に配するための後記隙間空間を形成する凹部１ｄを構成しておく。また該下部上層ブロック１ｂの内部には、詳細は後述する、前記定量供給手段２及び前記逆止め弁３を備えたガス通路４を構成する。
【００３７】
前記下蓋１ｃは、これも、図１〜図３に示すように、基本的に、前記円筒状部材１ａと同外径の平面視円形の薄型部材で、その周縁に沿って立ち上げた周側部内面にねじを切って、前記下部上層ブロック１ｂの下部外周の連結雄ねじ部１ｂ２に螺合する前記連結雌ねじ部１ｃ１を形成しておく。
【００３８】
前記吐出口部７を構成する吐出口ブロックは、前記円筒状部材１ａと同外径であるその最下部外周を切り欠いて、該円筒状部材１ａの内径とほぼ一致する連結小径部７ａを構成し、図１及び図２に示すように、該円筒状部材１ａの上部を該連結小径部７ａに外装し、両者を結合する。この両者の結合部は接着剤で固定する。該吐出口ブロックは、図１及び図２に示すように、最下部の連結小径部７ａの上方の前記円筒状部材１ａと同径の部分を若干残した上で、その上端から上細りの円錐状となって僅かに立ち上げた上で、その上端から段差を介して上方に延びる小円筒部７ｂを備えており、該小円筒部７ｂは、その外周にねじを切って前記蓋体９の内周の結合雌ねじ９ａと螺合する結合雄ねじ７ｃを形成してある。なお、この結合雄ねじ７ｃには、周方向１８０度の角度間隔でその上端から下端まで延びる二本の縦溝を形成してある。また該吐出口部７を構成する吐出口ブロックの内側は、最下部から上部の小円筒部７ｂの最下端付近まで上向き径となるテーパー状に構成し、その上部の小円筒部７ｂの内側は上端まで同径の円筒状内面に形成してある。
【００３９】
前記下部上層ブロック１ｂ、下部下層である下蓋１ｃ及び前記吐出口部７である吐出口ブロックは、前記円筒状部材１ａと同様に、この実施例１では、透明のプラスチック材で作成する。またこの実施例１では、容器本体１の底面を構成する下部上層ブロック１ｂの上面から吐出口部７を構成する吐出口ブロックの下端までの範囲で３５０ｍｌの水を収容することができる容量にしてある。言うまでも無く、この容量に限定される訳ではない。
【００４０】
前記定量給水手段２は、図１及び図２に示すように、前記下部上層ブロック１ｂの中央部に構成した、前記容器本体１の内部空間と前記下蓋１ｃに構成した前記薬槽６内とを連通する給水路２ａと、該給水路２ａ内の若干上部の位置に配した、定量切欠部２ｂｈを有する球体２ｂと、該球体２ｂを回転操作する摘まみ（操作手段）２ｃとで構成したものである。
【００４１】
前記給水路２ａは、図１及び図２に示すように、前記下部上層ブロック１ｂの中央部に上下貫通する穴として構成したものである。最上部の小径導入口２ａ１と、その直下に構成したこれより若干大径の弁座配置部２ａ２と、該弁座配置部２ａ２の直下から最下部まで延びる、前記球体２ｂと同径に構成した大径組み込み穴２ａ３とからなる。該大径組み込み穴２ａ３の最下部内周には、上部に弁座配置部２ｅ１を備えた下部抑え部材２ｅの外周の雄ねじ２ｅ３を螺合するための雌ねじ部２ａ３１が形成してある。
【００４２】
この給水路２ａの前記弁座配置部２ａ２には、最上部の小径導入口２ａ１と同径の貫通孔を有する上弁座２ｄ１を配し、その直下にこれに当接状態で前記球体２ｂを配し、更にその下方の大径組み込み穴２ａ３に、上部の弁座配置部２ｅ１に下弁座２ｄ２を配置した下部抑え部材２ｅを配置し、該球体２ｂを、上方の上弁座２ｄ１と下方の下弁座２ｄ２とで回転可能な状態で密に支持する。該下部抑え部材２ｅは、言うまでもなく、その下部外周の雄ねじ２ｅ３を、該大径組み込み穴２ａ３の最下部外周の雌ねじ部２ａ３１に螺合してその位置に固定する。
【００４３】
なお、該下部抑え部材２ｅは短円筒状部材であり、その下部外周に、前記給水路２ａの大径組み込み穴２ａ３の雌ねじ部２ａ３１に螺合する雄ねじ２ｅ３を備え、内側には、前記小径導入口２ａ１と同径の貫通孔２ｅ２が上下貫通状態に形成してあり、最上部には、該貫通孔２ｅ２より大径の前記弁座配置部２ｅ１が構成してある。また前記下弁座２ｄ２は、その中央部に、上弁座２ｄ１と同様の径、すなわち、前記小径導入口２ａ１と同径の貫通孔が開口してある。
【００４４】
前記給水路２ａとしては、前記球体２ｂの上方では、実質的には、それぞれ前記小径導入口２ａ１と該給水路２ａ内に配置した前記上弁座２ｄ１の貫通孔が機能している。また該球体２ｂの下方では、それぞれ該給水路２ａ内に配置した下弁座２ｄ２の貫通孔と下部抑え部材２ｅの貫通孔２ｅ２とが実質的な給水路として機能している。
【００４５】
前記球体２ｂには、前記し、図１及び図２に示すように、定量切欠部２ｂｈが開口してある。この定量切欠部２ｂｈは、この実施例１では、約２．５ｃｃの容量の方形の切欠に構成したものであり、常態で上向き、すなわち、該容器本体１の容体側に開口し、必要時に、該球体２ｂを、その中心をとおり、かつ該容器本体１の長さ方向に直交する軸を中心として１８０度回転させることで、前記薬槽６側に開口状態とすることができるようにしたものである。なお、該定量切欠部２ｂｈの容量は、前記約２．５ｃｃに限定されるわけでないのは言うまでも無い。
【００４６】
前記摘まみ２ｃは、図１〜図３に示すように、前記球体２ｂに、その中心をとおり、かつ前記容器本体１の長さ方向に直交する軸を中心とする軸体を結合し、その先端に結合した回転操作のための操作手段であり、前記下部上層ブロック１ｂの側方に開く操作用開口部１ｂ３内に位置させてあるものである。
【００４７】
前記ガス通路４は、図１、図２及び図５に示すように、前記容器本体１の内部と前記薬槽６の内部とを繋ぐべく前記下部上層ブロック１ｂ中に構成した通路であり、この実施例１では、前記給水路２ａを中心として三本を構成したものである。三本のガス通路４、４、４は、前記下部上層ブロック１ｂの周側に沿って相互に９０度の角度間隔又は１８０度の角度間隔で構成してある。該各ガス通路４の上部には、図１及び図２に示すように、大径の弁配置部４ａが構成してあり、この弁配置部４ａに逆止め弁３を配置し、かつ該弁配置部４ａの最上部には、中央に小径のガス通過小孔４ｂｈを開口した仕切り板４ｂを固設してある。
【００４８】
前記逆止め弁３は、図１及び図２に示すように、前記弁配置部４ａの下部に固定する円筒状基部３ａとその上端から上方に向かって円錐状に延びる弾性弁部３ｂとからなり、下方から一定圧を越えるガス圧が掛かると、該弾性弁部３ｂの先端が開いて該ガスが上方に向かって通過可能であり、他方、上方から前記容器本体１中の水等による水圧が掛かっても開かないように構成された弁部材である。
【００４９】
前記薬槽６は、前記し、図１、図２及び図４に示すように、前記下蓋１ｃの内面中央部に平面視正方形の凹部に構成したものである。このサイズ、すなわち、縦横の辺の長さ及び深さは、この中に納める前記水素発生剤５のサイズに対応させ、それより僅かに大きく構成する。なお、前記し、図１及び図２に示すように、前記下蓋１ｃは、その周側部内面の連結雌ねじ部１ｃ１で前記下部上層ブロック１ｂの下部外周の連結雄ねじ部１ｂ２に螺合して、該下部上層ブロック１ｂの下部に取り付けるものであるが、該下部上層ブロック１ｂの下面側には、前記したように、凹部１ｄが構成してしてあるため、このような取り付け状態で、前記薬槽６の周囲の上面と、該下部上層ブロック１ｂの底面（前記凹部１ｄの上面）との間に一定の隙間空間が空くことになる。このように凹部１ｄによって空いた上記一定の隙間空間にフィルタ抑え１０を配することとする。
【００５０】
前記フィルタ抑え１０は、図１及び図２に示すように、中央に、前記下部上層ブロック１ｂの下面中央に開く下部抑え部材２ｅの貫通孔２ｅ２を前記下蓋１ｃの薬槽６に繋ぐ連通孔１０ｈを開口し、該連通孔１０ｈの周側下面には、その一部が前記薬槽６側に向いて下向きに開き、他の一部に前記ガス通路４、４、４に繋がる開口を有する、円環状のフィルタ収納部１０ａを形成した平板状部材である。該フィルタ収納部１０ａは、該薬槽６で発生した水素ガスを通過させ、他方、該薬槽６に収容した水素発生剤５等の異物が前記ガス通路４、４、４側に移動しないように規制するフィルタ１１を収容するための空間である。
【００５１】
なお、前記フィルタ抑え１０の上面には、前記ガス通路４、４、４と連通する開口部の外側と内側にｏリングを嵌合するための環状溝１０ｂ、１０ｃが形成してある。
【００５２】
前記蓋体９は、図１〜図３に示すように、テーパー状に広がる下部と円筒状に立ち上がる上部とからなる。該テーパー状の下部のうちのほぼ半分ほどは、前記容器本体１の吐出口ブロックの上細りの円錐状部及び段差部をカバーするスカート部９ｂとなり、それより上部の内周には、前記したように、吐出口部７を構成する上部ブロックの小円筒部７ｂの外周の結合雄ねじ７ｃと螺合する結合雌ねじ９ａが形成してある。この蓋体９の中央部には、前記し、図１及び図２に示すように、容器本体１内の気圧を一定以上、この実施例１では２気圧以上にならないように保持する減圧弁８が構成してある。また蓋体９を吐出口部７に取り付けた場合に、該蓋体９の前記小円筒部７ｂの上端と当接することとなる部位にｏリングを挿入配置する環状溝９ｈが形成してある。
【００５３】
前記減圧弁８は、図１及び図２に示すように、前記蓋体９の中央で内側に向かって下向きに開く取付穴８ａと、該取付穴８ａの上端中央から外気に連通するより小径のリーク孔８ｂと、下端中央に内外を貫通する弁孔８ｃ１を開口した取付筒８ｃと、該取付筒８ｃの最下部に該弁孔８ｃ１を閉じる態様で装入した弁球８ｄと、該弁球８ｄを該弁孔８ｃ１側に押圧する圧縮コイルバネ８ｅとからなるものである。前記取付穴８ａの内周面には雌ねじが、前記取付筒８ｃの外周には、該取付穴８ａの内周面の雌ねじと螺合し得る雄ねじが、それぞれ形成してあり、前記のように、前記減圧弁８は、前記弁球８ｄ及び前記圧縮コイルバネ８ｅを装入配置した取付筒８ｃを前記取付穴８ａにねじ込み固定して構成するものである。なお、該圧縮コイルバネ８ｅは、以上のように、該取付筒８ｃを該取付穴８ａにねじ込み固定すると、その上端が該取付穴８ａの上端に当接し、その下端で前記弁球８ｄを下方に押圧できる状態になる。
【００５４】
前記水素発生剤５は、水と反応して水素ガスを発生する種々のそれを自由に採用することができる。できるだけ短時間で反応が進むタイプのそれが好ましい。この実施例１では、アルミニウムと酸化カルシウムとマグネシウムとの混合物を採用した。
【００５５】
若干詳しく述べると、この水素発生剤は、いずれも微粉末状のマグネシウム（Ｍｇ）とアルミニウム（Ａｌ）と酸化カルシウム（ＣａＯ）とを混合して構成したものであり、全体として１ｇのそれを水及びガスを通過させる包装に納めた態様のものである。
【００５６】
この水素発生剤５は、水が加えられると、酸化カルシウムが水と反応して発熱し、その後、水酸化カルシウムを生成する。微粉末状のアルミニウムも水と反応して水酸化アルミニウム及び水素を生成し、発熱する。なお、微粉末状のアルミニウムは、前記水酸化カルシウムの生成によって、加えられた水が塩基性の水溶液になると、水と反応して水酸化アルミニウム及び水素を発生する別の反応も生じると思われる。こうして加えられた水が高温になると、前記マグネシウムは、当該高温の水と反応して水酸化マグネシウム及び水素を生成する。以上のようにして、この水素発生剤５は、水の添加を受けると、大量の水素ガスを発生する。
【００５７】
従ってこの実施例１の携帯用の水素水生成用ポットによれば、水素水を作成する場合は、まずその薬槽６に前記水素発生剤５を充填し、前記容器本体１中に水又はコーヒー等の水素水にすることを希望する水又は水を主成分とする液体を入れる。この実施例１では、ミネラル水を入れた。
【００５８】
前記水素発生剤５は、前記容器本体１の下部の前記下蓋１ｃを外してその上面の薬槽６中に装入し、その上で、再度該下蓋１ｃを該容器本体１の下部の下部上層ブロック１ｂの下部に取り付ける。これは、言うまでも無く、前記下部上層ブロック１ｂの連結雄ねじ部１ｂ２に該下蓋１ｃの連結雌ねじ部１ｃ１を螺合解除又は螺合することによって行う。また前記ミネラル水は、前記蓋体９を前記容器本体１の吐出口部７から取り外し、露出した吐出口部７を構成する吐出口ブロックの小円筒部７ｂの上端開口から注入する。その後、該蓋体９を、同様に、該吐出口部７に外装する。該蓋体９は、その結合雌ねじ９ａを該小円筒部７ｂの外周の結合雄ねじ７ｃに螺合することで、上記外装状態を固定する。
【００５９】
水素水の作成は、この後いつでもできるが、飲用を希望する時点になってから行うのが適当である。
【００６０】
水素水を作成する場合は、前記定量給水手段２の摘まみ２ｃを１８０度回転させて、前記容器本体１内のミネラル水の一定量を前記薬槽６中に注入し、その中の水素発生剤５と反応させる。該容器本体１中のミネラル水は、前記給水路２ａの上部側、詳細には、小径導入路２ａ１及び上弁座２ｄ１の貫通孔を通じて前記球体２ｂの定量切欠部２ｂｈ中にも進入しており、前記のように、摘まみ２ｃを１８０度回転させると、ミネラル水の入っている定量切欠部２ｂｈは、前記容器本体１の内部側から前記薬槽６側に向きを変え、その中に入っている一定量（この実施例１では約２．５ｃｃ）のミネラル水を給水路２ａの下部側、詳細には、下弁座２ｄ２の貫通孔及び下部抑え部材２ｅの貫通孔２ｅ２並びにフィルタ抑え１０の連通孔１０ｈを通じて前記薬槽６中に注入することになる。
【００６１】
このように薬槽６中にミネラル水が注入されると、これに充填されている水素発生剤５がその水と急速に反応して水素ガスを発生することになる。ここで発生した水素ガスは、該薬槽６、下弁座２ｄ２の貫通孔、下部抑え部材２ｅの貫通孔２ｅ２、及び前記ガス通路４、４、４の逆止め弁３、３、３より下方側に充満することになるが、水素ガスの引き続く発生により、その中のガス圧が一定圧を越えるに至ると、該水素ガスは、該逆止め弁３、３、３を通じてガス通路４、４、４の上方側に移動し、該ガス通路４、４、４が繋がる容器本体１中の前記ミネラル水中をこれに徐々に溶解しながら残余のそれが浮上して行くことになる。
【００６２】
なお、前記薬槽６とガス通路４、４、４との間には、フィルタ抑え１０のフィルタ収納部１０ａに保持されたフィルタ１１が介在しており、以上のような水素ガスの移動は、このフィルタ１１を通じて行われる。それ故、前記薬槽６中の水素発生剤５の粉末等が、その包装が破損する等により、その包装外に出てくるようなことがあっても、前記容器本体１内に流れ込んでしまうようなおそれはない。
【００６３】
またこのような水素ガスの発生に関しては、携帯装置として作成できるレベルでは、前記水素発生剤５の性質にもよるが、水との反応は、水の電気分解によるよりは短時間で行われ、多量の水素ガスをスピーディに発生させることが可能であり、この実施例１では、前記摘まみ２ｃを１８０度回転させて、約２．５ｃｃのミネラル水を薬槽６側に注入すると、その時点から約３分の時間の経過で十分な量の水素ガスを発生させることができる。
【００６４】
こうして発生させた水素ガスは、前記したように、前記逆止め弁４、４、４を介して容器本体１中に移動し、その中のミネラル水に溶解しながら、その中を浮上し、溶解しなかった残余の水素ガスは、該容器本体１中のミネラル水の上面上の空間に移動することになる。この空間の水素ガス等の圧力は、こうして徐々に上昇することになるが、その上部の小円筒部７ｂの上端開口を閉じる前記蓋体９には、その中央部に減圧弁８が配してあり、もし、２気圧を越える程に気圧が上がるようなことがあった場合には、前記のように、そのレベルの水素ガス等を放出することにより、その内部を２気圧以下に保持するようになっている。圧力が上がり過ぎないようにすることができる。
【００６５】
前記のように、前記定量給水手段２の摘まみ２ｃによる給水操作時点から十分に水素ガスが発生したと判断できる時間、すなわち、前記３分の時間の経過後に、前記容器本体１を２０〜３０秒間程度振って内部のミネラル水と水素ガスとを撹拌することで、該水素ガスのミネラル水への溶解を促進させることができる。こうして容器本体１内のミネラル水は十分に高い濃度に水素が溶解した水素水となる。例えば、１５℃以上の水温で、前記容
器本体１内のミネラル水の水素の濃度は、容器本体１を振る撹拌動作の前は、０．９〜１．１ｐｐｍ（重量比）であるが、撹拌動作の後は、１．３〜１．６ｐｐｍ（重量比）となる。撹拌操作前でも該ミネラル水の水素の濃度は十分に高いが、撹拌操作するとその濃度を更に高いものとすることができる。
【００６６】
その後、容器本体１中の水素水を飲用する場合は、前記吐出口部７に外装固定して前記小円筒部７ｂの上端の開口を閉じている前記蓋体９を外す方向に回動して緩める。該蓋体９を緩めると、該小円筒部７ｂの上端に圧接していた該蓋体９の下面の環状溝９ｈ中に装入してあるｏリングと該小円筒部７ｂの上端とが離れ、該容器本体１は気密性を失う。こうして該容器本体１の気密性が失われると、該容器本体１の上部に残存している高い気圧の水素ガスが、該小円筒部７ｂの外周の結合雄ねじ７ｃに形成してある二つの縦溝を通じて流出し、該容器本体１内の気圧は低下することになる。そして該容器本体１内の気圧が低下すると、ミネラル水に溶解していた一定量の水素が多数の小泡となって吹き出し上昇することになる。該容器本体１が透明であるため、このような水素ガスの多数の小泡の上昇動が外部から視認できることになる。
【００６７】
以上のように、若干気圧の高い水素ガスを放出させた上で、更に該蓋体９を緩めて外せば、ミネラル水による水素水の飲用をすることができる。飲用は、その後、吐出口である小円筒部７ｂの上端開口から直接に又はグラス類に注いだ上でそのグラス類から行うことができる。
【００６８】
なお、以上において、前記容器本体１は、内部の透視が可能なプラスチック素材で構成したものであるため、前記のような蓋体９を外す飲用の際に加え、水素発生剤５と水との反応によって発生した水素ガスが泡となって該容器本体１中のミネラル水の中を浮上する様子等もまた観察可能である。
【００６９】
なおまた、この実施例１の携帯用の水素水生成用ポットによれば、前記容器本体１内に電極を配して電気分解によって水素を発生させるものではないので、以上に示したミネラル水や水道水の他に、前記したコーヒーや茶類又はジュース類等をも水素水生成用の原水として採用することが可能である。
【００７０】
＜実施例２＞
この実施例２の携帯用の水素水生成用ポットは、図６〜図８に示すように、基本的に、容器本体２１と、該容器本体２１の下部上層に構成した逆止め弁２３を備えたガス通路２４と、該容器本体２１の下部下層に構成した水素発生剤２５を収納する薬槽２６と、該容器本体２１の上部に構成した吐出口部２７と、該吐出口部２７に着脱自在に外装する蓋体２９とで構成したものである。
【００７１】
前記容器本体２１は、図６〜図８に示すように、透明なプラスチックで作成した円筒状部材２１ａと、その底部である下部上層を構成する下部上層ブロック２１ｂと、下部下層ブロックである、前記薬槽２６を構成した下蓋２１ｃと、上部の吐出口ブロックからなる前記吐出口部２７とで構成したものである。
【００７２】
前記下部上層ブロック２１ｂは、図６及び図７に示すように、基本的に、前記円筒状部材２１ａと同外径の短円柱状の部材であり、その上部外周を切り欠いて、該円筒状部材２１ａの内径とほぼ一致する連結小径部２１ｂ１を構成してある。同図に示すように、前記円筒状部材２１ａの下部を該連結小径部２１ｂ１に外装し、前記容器本体２１の底部の下部上層を構成する。該円筒状部材２１ａの下部内周と該下部上層ブロック２１ｂの連結小径部２１ｂ１との結合部は接着剤で固定する。
【００７３】
また該下部上層ブロック２１ｂの下部もその外周部を切り欠いて小径部を形成し、その外周にねじを切って、前記下蓋２１ｃの連結雌ねじ部２１ｃ１と螺合する連結雄ねじ部２１ｂ２を形成しておく。また該下部上層ブロック２１ｂの内部には、詳細は後述する前記逆止め弁２３を備えたガス通路２４を構成する。
【００７４】
前記下蓋２１ｃは、これも、図６〜図８に示すように、基本的に、前記円筒状部材２１ａと同外径の平面視円形の薄型部材であり、その周側に沿って立ち上げた周側板の内面にねじを切って、前記下部上層ブロック２１ｂの下部外周の連結雄ねじ部２１ｂ２に螺合する前記連結雌ねじ部２１ｃ１を形成しておく。
【００７５】
前記吐出口部２７を構成する吐出口ブロックは、前記円筒状部材２１ａと同外径であるその最下部外周を切り欠いて、該円筒状部材２１ａの内径とほぼ一致する連結小径部２７ａを構成し、図６及び図７に示すように、該円筒状部材２１ａの上部を該連結小径部２７ａに外装し、両者を結合する。この両者の結合部は接着剤で固定する。
【００７６】
該吐出口部２７を構成する吐出口ブロックは、図６及び図７に示すように、最下部の連結小径部２７ａの上方の前記円筒状部材２１ａと同径の部分を若干残し、その上端から緩やかに上細りとして上方に延ばした上で、更にその上端から上方に延びる小円筒部２７ｂを構成してあり、該小円筒部２７ｂには、その外周にねじを切って前記蓋体２９の内周の結合雌ねじ２９ａと螺合する結合雄ねじ２７ｃを形成しておく。
【００７７】
なお、この結合雄ねじ２７ｃには、その上端から下端までの全範囲に、周方向１８０度の角度間隔で二本の縦溝を形成しておく。
【００７８】
また該吐出口部２７を構成する吐出口ブロックの内側は、最下部から上部の小円筒部２７ｂの最下端付近までの範囲を上向き小径となるテーパー状に構成し、その上部の小円筒部２７ｂの内側は上端まで同径の円筒状内面に形成しておく。
【００７９】
前記下部上層ブロック２１ｂ、前記下部下層である下蓋２１ｃ及び前記吐出口部２７である吐出口ブロックは、前記円筒状部材２１ａと同様に、この実施例２では、透明のプラスチック材で作成した。またこの実施例２では、容器本体２１は、その底面を構成する下部上層ブロック２１ｂの上面から吐出口部２７を構成する吐出口ブロックの下端までの範囲で２６０ｍｌの水を入れることができる容量にしてある。実施例１の容器本体１の容量の約７４％である。勿論、この容量に限定される訳ではない。
【００８０】
前記ガス通路２４は、図６、図７及び図９に示すように、前記容器本体２１の内部と前記薬槽２６の内部とを繋ぐべく前記下部上層ブロック２１ｂの中心に構成した連通路である。該ガス通路２４は、その最上部を除いて、図６及び図７に示すように、弁配置部２４ａを兼ねる大径の連通路に構成してあり、この弁配置部２４ａに逆止め弁２３を装入配置する。該弁配置部２４ａの下部周囲には、逆止め弁２３の円筒状基部２３ａの周囲に形成した雄ねじと螺合する雌ねじが形成してあり、逆止め弁２３は、該弁配置部２４ａに装入した上で、その円筒状基部２３ａの外周の雄ねじを該雌ねじに螺合してその部位に固定する。前記ガス通路２４の最上部は、該弁配置部２４ａの中央部に対応する位置に形成した小径のガス通過小孔２４ｂとなり、前記下部上層ブロック２１ｂの上面に開口している。
【００８１】
前記逆止め弁２３は、図６及び図７に示すように、前記弁配置部２４ａの下部に固定する円筒状基部２３ａとその上端から上方に向かって円錐状に延びる弾性弁部２３ｂとからなり、下方から一定圧を越えるガス圧が掛かると、該弾性弁部２３ｂの先端が開いて該ガスが上方に向かって通過可能であり、他方、上方から前記容器本体２１中の水等による水圧が掛かっても開かないように構成された弁部材である。
【００８２】
前記薬槽２６は、前記し、図６、図７及び図１０に示すように、前記下蓋２１ｃの内面中央部に、基本的には、平面視正方形であり、その対面する平行な二辺に外方に膨らみを持たせた凹部に構成したものである。その辺の膨らみ部分を除いた四辺の長さは、この中に納める水素発生剤２５のサイズに対応し、それより僅かに大きく構成する。深さについては、該水素発生剤２５の厚さ、及び前記ガス通路２４に異物が侵入しないように規制すべく前記下部上層ブロック２１ｂの下面に接着固定するフィルタ２４ｆの厚さを越える寸法に構成する。なお、図６、図７及び図１０に示すように、前記下蓋２１ｃの薬槽２６の周囲の上面には、ｏリングを装入するための環状溝２１ｃ２を形成しておく。
【００８３】
前記蓋体２９は、図６〜図８に示すように、円筒状を基本とする部材であり、その内周には吐出口部２７を構成する上部ブロックの小円筒部２７ｂの外周の結合雄ねじ２７ｃと螺合する結合雌ねじ２９ａが形成してある。また該蓋体２９の下部外周には、該蓋体２９の結合雌ねじ２９ａを該小円筒部２７ｂの結合雄ねじ２７ｃに螺合した状態で、該吐出口部２７を構成する上部ブロックの円筒状部材２１ａと同径の部位の直上までをカバーするスカート部２９ｂが構成してある。更に該蓋体２９の、前記小円筒部２７ｂの上端に対面する部位には、図６及び図７に示すように、ｏリングを装入するための環状溝２９ｃが形成してあり、これにｏリングを装入し、この蓋体２９を吐出口部２７に取り付けた状態で、容器本体２１内の気密性を保持できるようにしてある。
【００８４】
前記水素発生剤２５は、水と反応して水素ガスを発生する性質のそれを自由に採用することができる。できるだけ短時間で反応が進むタイプのそれが好ましい。この実施例２では、いずれも微粉末のアルミニウム、酸化カルシウム及びマグネシウムを成分とする実施例１のそれと全く同様のものを採用した。
【００８５】
従ってこの実施例２の携帯用の水素水生成用ポットによれば、水素水を作成する場合は、まずその薬槽２６に前記水素発生剤２５を充填し、前記容器本体２１中に水又はコーヒー等の水素水にすることを希望する水又は水を主成分とする液体を入れる。なお、該水素発生剤２５は、糖分を含む水とは良好に反応せず、殆ど水素を発生しない。従って、該容器本体２１中に収容する液体は、その一部を取り出して前記薬槽２６に注入し、前記水素発生剤２５と反応させようとする場合には、糖分を含まない水を主成分とする液体に限定されるが、該容器本体２１中の液体をそのようには用いない場合は、これに収容する原水として、水を主成分とする液体である限り、自由なそれを選択できる。この実施例２では、容器本体１中にはミネラル水を入れた。またこの実施例２では、プラスチックの小容器（１．２ｃｃ容量）を用意し、前記水素発生剤２５に添加する水素発生用の水として、該小容器に弱酸の水溶液を充填して該水素発生剤２５に添付した。なお弱酸として、この実施例２ではクエン酸を用いた。このように酸を用いるのは、水素発生剤２５との反応時に塩基性になる水を中和する趣旨である。
【００８６】
前記水素発生剤２５は、前記容器本体２１の下部の前記下蓋２１ｃを外してその上面の薬槽２６中に装入し、その上で、再度該下蓋２１ｃを該容器本体２１の下部の下部上層ブロック２１ｂの下部に取り付ける。これは、該下部上層ブロック２１ｂの連結雄ねじ部２１ｂ２に該下蓋２１ｃの連結雌ねじ部２１ｃ１を順次螺合解除すること及び螺合することによって行う。また前記ミネラル水は、当然、前記蓋体２９を前記容器本体２１の吐出口部２７から取り外し、露出した吐出口部２７を構成する吐出口ブロックの小円筒部２７ｂの上端開口から注入する。その後、該蓋体２９を、同様に、該吐出口部２７に外装する。該蓋体２９は、その結合雌ねじ２９ａを該小円筒部２７ｂの外周に形成した結合雄ねじ２７ｃに螺合することで、上記外装状態を固定する。前記容器本体１内は、こうして、該小円筒部２７ｂの上端が該蓋体２９の下面の環状溝２９ｃに嵌合してあるｏリングと圧接状態となるため、この後、気密状態に保持されることになる。
【００８７】
水素水の作成は、この後いつでもできるが、飲用を希望する時点になってから行うのが適当である。
【００８８】
水素水を作成する場合は、前記薬槽２６中の水素発生剤２５に水を添加する必要があるが、前記のように、これには、容器本体２１中の液体又はそれ以外の水を用いることができる。この実施例２では、容器本体２１中の液体ではなく、前記水素発生剤に添付した小容器に充填のクエン酸の水溶液を用いる。
この実施例２で用いている水素発生剤２５は、糖分を含む水とは良好に反応して水素を発生することができないが、前記小容器に充填のクエン酸の水溶液は当然糖分を含むものではないので、そのような問題はない。水素の発生に有効に用いることができる。
【００８９】
従ってこの実施例の２では、水素水を作成する場合は、前記下蓋２１ｃを取り外し、前記小容器に充填してある約１．２ｃｃのクエン酸の水溶液を、該下蓋２１ｃの内面の薬槽２６中に注入供給し、該下蓋２１ｃはすぐに該容器本体２１の下部の下部上層ブロック２１ｂに取り付ける。これは、予め薬槽２６中に水素発生剤２５を装入しておき、後でクエン酸の水溶液を該水素発生剤２５に注入供給する例であるが、前記容器本体１中に原水のみ収容しておき、水素水の飲用を希望する時点で、前記下蓋２１ｃを取り外してその内面の薬槽２６中に水素発生剤２５を装入し、併せて該小容器からクエン酸の水溶液を注入供給し、その後すぐに該下蓋２１ｃを該容器本体２１の下部の下部上層ブロック２１ｂに取り付ける、という手順を採用することもできる。
【００９０】
このように前記薬槽２６中に、水素発生剤２５及び小容器入りのクエン酸の水溶液を、その順序で順次に又はほぼ同時に装入すると、これに収容されている水素発生剤２５が該クエン酸の水溶液中の水と急速に反応して水素ガスを発生することになる。ここで発生した水素ガスは、該薬槽２６及び前記ガス通路２４の前記逆止め弁２３より下方側に充満することになるが、水素ガスの引き続く発生により、その中のガス圧が一定圧を越えるに至ると、該水素ガスは、該逆止め弁２３を通じてガス通路２４の上方側に移動し、該ガス通路２４が繋がる容器本体２１中の前記ミネラル水中を泡となってこれに徐々に溶解しながら残余のそれが浮上して行くことになる。
【００９１】
この様子は、該容器本体２１を構成する円筒状部材２１ａその他が透明プラスチックで構成されているため、外部から視認可能であり、水素の発生状態を観察可能である。
【００９２】
なお、前記薬槽２６とガス通路２４との間には、前記下部上層ブロック２１ｂの下面に接着固定したフィルタ２４ｆが介在しており、前記のような水素ガスの移動は、このフィルタ２４ｆを通じて行われる。それ故、該薬槽２６中の水素発生剤２５の粉末等が、その包装が破損する等により、その包装外に出てくるようなことがあっても、前記容器本体２１内に流れ込んでしまうようなおそれはない。
【００９３】
またこのような水素ガスの発生に関しては、携帯装置として作成できるレベルでは、前記実施例１に関して述べたように、水との反応は、水の電気分解によるよりは短時間で行われ、多量の水素ガスをスピーディに発生させることが可能であり、この実施例２では、前記のように、約１．２ｃｃのクエン酸の水溶液を、水素発生剤２５とほぼ同時に又は後者の装入の後に、該薬槽２６に注入すると、その注入の時点から約３分の時間の経過で十分な量の水素ガスを発生させることができる。
【００９４】
こうして発生させた水素ガスは、前記したように、前記逆止め弁２４を介して前記容器本体２１中に移動し、泡となって、その中のミネラル水に溶解しながら、その中を浮上し、溶解しなかった残余の水素ガスは、該容器本体２１中のミネラル水の上面上の空間に移動することになる。この空間の水素ガス等の圧力は、こうして徐々に上昇することになるが、多数の実験結果からこの内部の気圧は２気圧以下程度以上にはならないことが確認されている。容器本体２１は１０気圧程度には耐えられ、圧力が上がり過ぎて該容器本体２１を破裂させてしまうようなおそれはない。
【００９５】
前記のように、小容器入りのクエン酸の水溶液の注入時点から十分に水素ガスが発生したと判断できる時間、すなわち、前記３分の時間の経過後に、前記容器本体２１を２０〜３０秒間程度振って内部のミネラル水と水素ガスとを撹拌することで、該水素ガスのミネラル水への溶解を促進させることができる。こうして容器本体２１内のミネラル水は十分に高い濃度に水素が溶解した水素水となる。実施例１に関して示したように、例えば、１５℃以上の水温で、前記容器本体２１内のミネラル水の水素の濃度は、容器本体２１を振る撹拌動作の前の、０．９〜１．１ｐｐｍ（重量比）から、撹拌動作の後の、１．３〜１．６ｐｐｍ（重量比）に変動する。撹拌操作前でも該ミネラル水の水素の濃度は十分に高いが、撹拌操作するとその濃度は更に高いものとなる。
【００９６】
その後、容器本体２１中の水素水を飲用する場合は、前記吐出口部２７に外装固定し、前記小円筒部２７ｂの上端の開口を閉じている前記蓋体２９を徐々に緩める。こうして該蓋体２９の結合雌ねじ２９ａと該小円筒部２７ｂとの結合雄ねじ２７ｃとの螺合状態を緩めると、該蓋体２９の下面に形成した環状溝２９ｃに嵌合したｏリングと該小円筒部２７ｂの上端との圧接による気密状態が解除され、該結合雄ねじ２７ｃに形成してある縦溝を通じて、該容器本体２１の上部に残存する２気圧弱の水素ガスは徐々に外気に流出することになる。こうしてミネラル水の上面上の気圧が低下することで、ミネラル水内の水素も多数の小泡となって吹き出し上昇することとなり、他方、容器本体２１が透明であるため、このような水素ガスの多数の小泡の動きが外部から観察できることになる。
【００９７】
以上のように、前記蓋体２９を徐々に緩めて外せば、ミネラル水による水素水の飲用をすることができる。飲用は、その後、吐出口である小円筒部２７ｂの上端開口から直接に又はグラス類に注いだ上でそのグラス類から行うことができる。
【００９８】
なお、この実施例２の携帯用の水素水生成用ポットによれば、実施例１について説明したように、前記容器本体２１内に電極を配して電気分解によって水素を発生するものではないので、以上に示したミネラル水や水道水の他に、前記したコーヒーや茶類又はジュース類若しくは各種スポーツドリンク等をも水素水生成用の原水として採用することが可能である。
【産業上の利用可能性】
【００９９】
本発明の携帯用の水素水生成用ポットは、これらの製品の製造分野で利用することができる。
【符号の説明】
【０１００】
１    容器本体
１ａ  円筒状部材
１ｂ  下部上層ブロック
１ｂ１  連結小径部
１ｂ２  連結雄ねじ部
１ｂ３  操作用開口部
１ｃ  下蓋
１ｃ１  連結雌ねじ部
１ｄ  凹部
２    定量給水手段
２ａ  給水路
２ａ１  小径導入口
２ａ２  弁座配置部
２ａ３  大径組み込み穴
２ａ３１  雌ねじ部
２ｂ  球体
２ｂｈ  定量切欠部
２ｃ  摘まみ
２ｄ１  上弁座
２ｄ２  下弁座
２ｅ  下部抑え部材
２ｅ１  弁座配置部
２ｅ２  貫通孔
２ｅ３  雄ねじ
３    逆止め弁
３ａ  円筒状基部
３ｂ  弾性弁部
４    ガス通路
４ａ  弁配置部
４ｂ  仕切り板
４ｂｈ  ガス通過小孔
５    水素発生剤
６    薬槽
７    吐出口部
７ａ  連結小径部
７ｂ  小円筒部
７ｃ  結合雄ねじ
８    減圧弁
８ａ  取付穴
８ｂ  リーク孔
８ｃ  取付筒
８ｃ１  弁孔
８ｄ  弁球
８ｅ  圧縮コイルバネ
９    蓋体
９ａ  結合雌ねじ
９ｂ  スカート部
９ｈ  環状溝
１０  フィルタ抑え
１０ａ  フィルタ収納部
１０ｂ、１０ｃ  環状溝
１０ｈ  連通孔
１１  フィルタ
２１  容器本体
２１ａ  円筒状部材
２１ｂ  下部上層ブロック
２１ｂ１  連結小径部
２１ｂ２  連結雄ねじ部
２１ｃ  下蓋
２１ｃ１  連結雌ねじ部
２１ｃ２  ｏリングを装入するための環状溝
２３  逆止め弁
２３ａ  円筒状基部
２３ｂ  弾性弁部
２４  ガス通路
２４ａ  弁配置部
２４ｂ  ガス通過小孔
２４ｆ  フィルタ
２５  水素発生剤
２６  薬槽
２７  吐出口部
２７ａ  連結小径部
２７ｂ  小円筒部
２７ｃ  結合雄ねじ
２９  蓋体
２９ａ  結合雌ねじ
２９ｂ  スカート部
２９ｃ  ｏリングを装入するための環状溝
【要約】
水に限らず、コーヒーその他の水を主成分とする液体を原水として、高濃度の飲料用水素水を、いつでもどこでも短時間で生成することができる携帯用の水素水生成用ポットを提供することを目的とし、透明な円筒状部材１ａ等で構成した容器本体１と、その下部の下部上層ブロック１ｂに構成した定量給水手段２であって、容器本体１中の一定量の水を更に下部の下蓋１ｃに構成した薬槽６中に給水する定量給水手段２と、同じく下部上層ブロック１ｂに構成した、逆止め弁３を備えたガス通路４であって、薬槽６中で発生した水素ガスを容器本体１中に移動させるガス通路４と、容器本体１の下部下層を構成する下蓋１ｃに構成した水素発生剤５を収納する薬槽６と、容器本体１の上部の吐出口部７を構成する上部ブロックと、吐出口部７に着脱自在に外装する、減圧弁８を備えた蓋体９とで構成した。【図１】
0005462426.tif 000002
【図２】
0005462426.tif 000003
【図３】
0005462426.tif 000004
【図４】
0005462426.tif 000005
【図５】
0005462426.tif 000006
【図６】
0005462426.tif 000007
【図７】
0005462426.tif 000008
【図８】
0005462426.tif 000009
【図９】
0005462426.tif 000010
【図１０】
0005462426.tif 000011